(57)【要約】【課題】ねじ止め箇所を少なくすることができるともに、接合金物を省略することができるスチールハウスのたて枠と横架材との接合部を提供する。【解決手段】柱１Ａと、この柱１Ａに取り付けられるまぐさ２Ａとの接合部であって、柱１Ａが角形鋼管１１であり、まぐさ２Ａがフランジ４ｂの端部に切り欠き４ｄを有するリップ溝形鋼４であり、柱１Ａとまぐさ２Ａの端部のウエブ４ａとが固定されている。【選択図】      図３
2005042317.tif 000002
【特許請求の範囲】
【請求項１】
たて枠と、このたて枠に取り付けられる横架材との接合部であって、たて枠が角形鋼管であり、横架材がフランジの端部に切り欠きを有する溝形鋼であり、前記たて枠と前記横架材の端部のウエブとが固定されていることを特徴とするスチールハウスのたて枠と横架材との接合部。
【請求項２】
横架材がまぐさであることを特徴とする請求項１に記載のスチールハウスのたて枠と横架材との接合部。
【発明の詳細な説明】
【０００１】
【発明の属する技術分野】
本発明は、スチールハウスにおけるたて枠と横架材との接合部に関する。
【０００２】
【従来の技術】
スチールハウス（鋼製住宅）においては、板厚が１ｍｍ程度の溝形鋼を組み合わせてたて枠および横架材とし、これらを接合して建物の骨組みを構築することが行われている（例えば、特許文献１参照）。
このスチールハウスのたて枠と横架材との接合部の一例として、従来、例えば、図４ないし図６に示す柱とまぐさとの接合部が知られている。
【０００３】
この従来例では、たて枠としての柱１、１および横架材としてのまぐさ２はそれぞれ、溝形鋼３とこの溝形鋼３の板厚分だけフランジ外側幅が小さいリップ溝形鋼４とが組み合わされて構成されている。すなわち、取り合いや強度上の要請から、柱１は、２つのリップ溝形鋼４、４が背中合わせに配置されて、ウエブ４ａ、４ａどうしがねじ（ドリリングタッピングねじ）６により固定され、さらにまぐさ２側のリップ溝形鋼４の外側には、まぐさ２側から溝形鋼３が嵌め込まれて、溝形鋼３の両フランジ３ｂ、３ｂとリップ溝形鋼４の両フランジ４ｂ、４ｂとがそれぞれ、ねじ６、６により固定されており、これにより柱１はほぼ四角形に構成されている。一方、まぐさ２は、２つのリップ溝形鋼４のフランジ４ｂ、４ｂを上下方向に配置し、フランジ４ｂ、４ｂの先端部に形成されたリップ４ｃ、４ｃを間隔をおいて対向させて配置されている。なお、柱１のホールダウン金物７は、リップ溝形鋼４、４のウエブ４ａ、４ａの下部にねじ６により一緒に固定されている。
【０００４】
そして、柱１にまぐさ２がまぐさ受け金物８を用いて取り付けられている。すなわち、まぐさ受け金物８は、溝形鋼３をリップ溝形鋼４のフランジ外側幅とほぼ同じ長さに切断することにより作製されており、このまぐさ受け金物８が柱１の溝形鋼３と背中合わせに配置されて、ウエブ８ａ、４ａどうしがねじ６により固定されている。まぐさ受け金物８の両フランジ８ｂ、８ｂと２つのまぐさ２のリップ溝形鋼４、４の先端部とが、それぞれねじ６により固定されている。
【０００５】
なお、特許文献１には、溝形鋼と溝形鋼とをドリリングタッピングねじで固定すると、ねじ頭部が溝形鋼表面に凸部として残り、この接合部に合板や石膏ボード等の板材（仕上げ下地材）を取り付けると、この凸部により板材が破壊される場合などもあるので、溝形鋼の重合部にポンチ孔または打痕からなる中心部点状凹部とその外周の周辺凹部とを形成し、この部分にドリリングタッピングねじを打ち込むことが記載されている。
【０００６】
【特許文献１】
特開平１１−１２４９０８号公報
【０００７】
【発明が解決しようとする課題】
しかしながら、このような従来の柱とまぐさとの接合部においては、溝形鋼３とリップ溝形鋼４とを組み合わせて、柱１およびまぐさ２を構成するので、部材の種類が少なくて済むという利点を有するが、部材の数が多くなり、接合箇所が多くなるので、ねじ止めを多く行う必要があるうえに、まぐさ受け金物を設置する必要があるという問題がある。
【０００８】
本発明は、このような事情に鑑みてなされたもので、ねじ止め箇所を少なくすることができるとともに、接合金物を省略することができるスチールハウスのたて枠と横架材との接合部を提供することを目的とする。
【０００９】
【課題を解決するための手段】
前記課題を解決するために、請求項１に記載のスチールハウスのたて枠と横架材との接合部は、たて枠と、このたて枠に取り付けられる横架材との接合部であって、たて枠が角形鋼管であり、横架材がフランジの端部に切り欠きを有する溝形鋼であり、前記たて枠と前記横架材の端部のウエブとが固定されていることを特徴とする。
【００１０】
請求項２に記載のスチールハウスのたて枠と横架材との接合部は、請求項１に記載の発明において、横架材がまぐさであることを特徴とする。
【００１１】
請求項１および請求項２に記載の発明においては、たて枠に角形鋼管を用いているので、従来のように複数個の溝形鋼やリップ溝形鋼を組み合わせてたて枠を構成する必要がなく、このため部材の数およびねじ止め箇所を削減することができて、製作工数および製作費用を低減することができる。さらに、横架材端部のフランジに切り欠きがあるので、たて枠と横架材との接合には、横架材端部のウエブとたて枠とをねじにより固定すればよく、ねじ止め箇所を低減することができるとともに、接合金物を省略することができ、したがって製作工数および製作費用をさらに低減することができる。
また、合板や石膏ボード等の板材をたて枠および横架材にねじにより取り付けても、このたて枠と横架材との接合部では接合に用いられているねじの本数が少ないので、板材が破壊することがなく、したがって施工が簡素化される。
【００１２】
上記各請求項において、溝形鋼には、フランジの先端部にリップが形成されたリップ溝形鋼を含む。
なお、たて枠として、スチールハウスで用いられているリップ付きの溝形鋼のせいと同じ外径寸法を有する角形鋼管を用いれば、この角形鋼管に横架材を構成する溝形鋼を接合しても、その接合部分が他の部分からはみ出ることがない。
【００１３】
【発明の実施の形態】
以下、図面を参照して本発明の実施の形態を詳細に説明する。なお、各図において、図４ないし図６と同一構成要素には同一符号を付してその説明を簡略化する。
図１ないし図３は、本発明の実施の形態に係るスチールハウスの柱とまぐさとの接合部を示す図であって、図１は分解斜視図、図２は要部の斜視図、図３は図２のＡ−Ａ線矢視図である。
【００１４】
２つの柱１Ａは、角形鋼管１１から構成されている。この角形鋼管１１には、リップ溝形鋼４のフランジ外側幅または溝形鋼３のフランジ間距離と同一寸法の外径寸法を有する角形鋼管が用いられている。一方、２つの柱１Ａの間に設けられているまぐさ２Ａは、まぐさ２と同様に、そのフランジ４ｂ、４ｂを上下方向に配置されるとともに、フランジ４ｂ、４ｂの先端部に形成されたリップ４ｃ、４ｃを間隔をおいて対向して配置される２つのリップ溝形鋼４により、ほぼ四角形に構成されている。このまぐさ２Ａを構成するリップ溝形鋼４の両端部にはそれぞれ、両フランジ４ｂ、４ｂが四角形状に削除された切り欠き４ｄ、４ｄが形成されており、これによりウエブ４ａ、４ａの端部が角形鋼管１１側に突出している。
【００１５】
そして、柱１Ａにまぐさ２Ａが次のように取り付けられている。すなわち、まぐさ２Ａとしての各リップ溝形鋼４の各切り欠き４ｄと、角形鋼管１１とを合わせて、各リップ溝形鋼４の各ウエブ４ａとこのウエブ４ａが重なっている角形鋼管１１の壁１１ａ、１１ａとがそれぞれねじ（ドリリングタッピングねじ）６により固定されている。
なお、角形鋼管１１のまぐさ２Ａと反対側の壁１１ｂの下部には、ホールダウン金物７がねじ６により固定されている。
【００１６】
このようなスチールハウスの柱とまぐさとの接合部にあっては、柱１Ａが角形鋼管１１により構成されているので、従来のように複数個の溝形鋼３やリップ溝形鋼４を組み合わせて柱１を構成する必要がなく、したがって部材の数およびねじ止め箇所を削減することができて、製作工数および製作費用を低減することができる。さらに、この柱１Ａを構成する角形鋼管１１に、まぐさ２Ａを構成する２本のリップ溝形鋼４を接合するのに、リップ溝形鋼４の端部の両フランジ４ｂ、４ｂに切り欠き４ｄ、４ｄが形成されており、角形鋼管１１の壁１１ａとリップ溝形鋼４のウエブ４ａとをねじ６により固定すればよいので、ねじ止め箇所を低減することができるとともに、まぐさ受け金物を省略することができ、したがって製作工数および製作費用をさらに低減することができる。
【００１７】
また、柱１Ａに、リップ溝形鋼４のフランジ外側幅または溝形鋼３のフランジ間距離と同一寸法の外径寸法を有する角形鋼管１１を用いれば、この角形鋼管１１にまぐさ２Ａを構成するリップ溝形鋼４を接合しても、その接合部分が他の部分からはみ出ることがない。
【００１８】
さらに、合板や石膏ボード等の板材を、角形鋼管１１およびまぐさ２Ａのリップ溝形鋼４にねじにより取り付けても、この柱とまぐさとの接合部では接合に用いられているねじ６の本数が少ないので、特許文献１などのように溝形鋼に特殊な加工をしなくても、板材が破壊等されない。
【００１９】
なお、上述の実施の形態では、まぐさ２Ａにリップ溝形鋼４を用いたが、これに代えて、溝形鋼３を用いてもよい。
【００２０】
また、上述の実施の形態では、リップ溝形鋼４のせいと同じ外径寸法を有する角形鋼管１１を用いたが、これに代えて、他の適宜寸法の角形鋼管を用いることもできる。
【００２１】
また、上述の各実施の形態では、本発明を柱とまぐさとの接合部に適用した場合について説明したが、本発明はこれに限らず、スチールハウスの他のたて枠と横架材との接合部にも適用することができる。
【００２２】
【発明の効果】
以上説明したように、本発明のスチールハウスのたて枠と横架材との接合部によれば、ねじ止め箇所を少なくすることができるとともに、接合金物を省略することができる。
【図面の簡単な説明】
【図１】本発明の実施の形態に係るスチールハウスの柱とまぐさとの接合部を示す分解斜視図である。
【図２】同、要部の斜視図である。
【図３】図２のＡ−Ａ線矢視図である。
【図４】従来のスチールハウスの柱とまぐさとの接合部を示す分解斜視図である。
【図５】同、要部の斜視図である。
【図６】図５のＢ−Ｂ線矢視図である。
【符号の説明】
１Ａ    柱（たて枠）
２Ａ    まぐさ（横架材）
４    リップ溝形鋼（溝形鋼）
４ａ    ウエブ
４ｃ    フランジ
４ｄ    切り欠き
６    ねじ
【図１】
2005042317.tif 000003
【図２】
2005042317.tif 000004
【図３】
2005042317.tif 000005
【図４】
2005042317.tif 000006
【図５】
2005042317.tif 000007
【図６】
2005042317.tif 000008